(57)【要約】【課題】強度が低下してしまうのを抑制しつつ竪樋の取付作業効率の向上を図ることのできる竪樋支持具を得る。【解決手段】第１の支持部材３１の嵌合部３４、３５を第２の支持部材３２の基台３６に設けられた回動軸３７に遊嵌させるとともに、第２の支持部材３２を第１の支持部材３１に取り付けた状態で、基台３６と嵌合部３４、３５との間に回動軸３７方向に間隙Ｄ１が形成されるように、基台３６と嵌合部３４、３５とを対向配置させることで、第２の支持部材３２を第１の支持部材３１に対して相対的に上下方向に揺動できるようにした。【選択図】図４
2011006900.tif 000002
【特許請求の範囲】
【請求項１】
建物の外壁に固定する固定部と、竪樋を支持する支持部と、を備える竪樋支持具であって、
前記支持部は、前記固定部が取り付けられる第１の支持部材と、当該第１の支持部材にヒンジを介して回動可能に取り付けられる第２の支持部材と、を備え、
前記ヒンジは、前記第１および第２の支持部材のうちいずれか一方に設けられた基台と、当該基台から突出するように取り付けられる回動軸と、前記第１および第２の支持部材のうちの他方に設けられて前記回動軸に遊嵌する嵌合部と、を備え、
前記基台と前記嵌合部とが、前記第２の支持部材を前記第１の支持部材に取り付けた状態で前記回動軸方向に間隙が形成されるように対向配置されることを特徴とする竪樋支持具。
【請求項２】
前記第２の支持部材は、前記第１の支持部材に着脱可能に係止されるとともに、当該第１の支持部材に対して前記回動軸方向に揺動可能に係止されることを特徴とする請求項１に記載の竪樋支持具。
【発明の詳細な説明】
【技術分野】
【０００１】
本発明は、竪樋支持具に関する。
【背景技術】
【０００２】
従来、竪樋支持具として、建物の外壁に固定する固定部に設けられた先端が球状の球形係止部と、竪樋を支持する支持部に設けられて球形係止部を受ける支承部とで構成されたユニバーサルジョイント構造を備え、支持部を係止部の球状部分を介して固定部に揺動可能に連結させることで、組み付け時の誤差を吸収して竪樋を容易に取り付けられるようにしたものが知られている（例えば、特許文献１参照）。
【先行技術文献】
【特許文献】
【０００３】
【特許文献１】特開２００４−１４３７８３号公報
【発明の概要】
【発明が解決しようとする課題】
【０００４】
しかしながら、上記従来の技術では、固定部から突設した軸の先端に球状部を設けた構造をしているため、竪樋支持具の強度が低下してしまうという問題があった。
【０００５】
そこで、本発明は、強度が低下してしまうのを抑制しつつ竪樋の取付作業効率の向上を図ることのできる竪樋支持具を得ることを目的とする。
【課題を解決するための手段】
【０００６】
請求項１の発明にあっては、建物の外壁に固定する固定部と、竪樋を支持する支持部と、を備える竪樋支持具であって、前記支持部は、前記固定部が取り付けられる第１の支持部材と、当該第１の支持部材にヒンジを介して回動可能に取り付けられる第２の支持部材と、を備え、前記ヒンジは、前記第１および第２の支持部材のうちいずれか一方に設けられた基台と、当該基台から突出するように取り付けられる回動軸と、前記第１および第２の支持部材のうちの他方に設けられて前記回動軸に遊嵌する嵌合部と、を備え、前記基台と前記嵌合部とが、前記第２の支持部材を前記第１の支持部材に取り付けた状態で前記回動軸方向に間隙が形成されるように対向配置されることを特徴とする。
【０００７】
請求項２の発明にあっては、請求項１に記載の竪樋支持具において、前記第２の支持部材は、前記第１の支持部材に着脱可能に係止されるとともに、当該第１の支持部材に対して前記回動軸方向に揺動可能に係止されることを特徴とする。
【発明の効果】
【０００８】
本発明によれば、第１および第２の支持部材のうちいずれか一方に回動軸が取り付けられる基台を設けるとともに、第１および第２の支持部材のうちの他方に回動軸に遊嵌する嵌合部を設け、基台と嵌合部とを回動軸方向に間隙が形成されるように対向配置させることで、第２の支持部を第１の支持部に対して相対的に揺動させることができるようになるため、竪樋を所望の状態で容易に取り付けることができるようになり、竪樋の取付作業効率の向上を図ることができる。
【０００９】
また、ヒンジを基点として第２の支持部を第１の支持部に対して相対的に揺動させるようにしたため、竪樋支持具の強度が低下してしまうのを抑制することができる。
【００１０】
このように、本発明によれば、強度が低下してしまうのを抑制しつつ竪樋の取付作業効率の向上を図ることのできる竪樋支持具を得ることができる。
【図面の簡単な説明】
【００１１】
【図１】図１は、本発明の一実施形態にかかる竪樋支持具を示す斜視図である。
【図２】図２は、本発明の一実施形態にかかる竪樋支持具のヒンジ部を示す拡大斜視図である。
【図３】図３は、本発明の一実施形態にかかる竪樋支持具のヒンジ部を示す図であって、通常の状態を示す側面図である。
【図４】図４は、本発明の一実施形態にかかる竪樋支持具のヒンジ部を示す図であって、第２の支持部を第１の支持部に対して相対的に揺動させた状態を示す側面図である。
【図５】図５は、本発明の一実施形態にかかる竪樋支持具の平面図である。
【図６】図６は、本発明の一実施形態にかかる竪樋支持具の嵌め込み部を示す図であって、通常の状態を示す側面図である。
【図７】図７は、本発明の一実施形態にかかる竪樋支持具の嵌め込み部を示す図であって、第２の支持部を第１の支持部に対して相対的に揺動させた状態を示す側面図である。
【図８】図８は、本発明の一実施形態にかかる竪樋支持具を建物の外壁に取り付けた状態を示す側面図である。
【図９】図９は、本発明の一実施形態にかかる竪樋支持具に竪樋を取り付けた状態を示す側面図である。
【発明を実施するための形態】
【００１２】
以下、本発明の実施形態について図面を参照しながら詳細に説明する。
【００１３】
本実施形態にかかる竪樋支持具１０は、弾性を有する合成樹脂で形成されており、建物の外壁１に竪樋２を取り付ける際に使用されるものである。
【００１４】
この竪樋支持具１０は、建物の外壁１に固定される固定部２０と、竪樋２を支持する支持部３０と、を備えている。
【００１５】
固定部２０は、略直方体状をしており、その中央部に、釘３等の固定部材を挿通する挿通孔２１が設けられている。また、挿通孔２１の一端（竪樋支持具の内周側端部：竪樋支持具１０を建物の外壁１に取り付けた状態における屋外側の端部）には、他の部位よりも拡径させて形成した収納溝２２が設けられており、一端側から挿通孔２１に挿通させた釘３の釘頭３ｂをこの収納溝２２内に収納させることで、竪樋２を竪樋支持具１０に取り付ける際に竪樋２と釘頭３ｂとが干渉してしまわないようにしている。また、挿通孔２１の他の部位には、釘３の足部３ａを保持するリブ２３が設けられている。なお、このリブ２３は、釘３を建物の外壁１に打ち込む際のガイドとしての機能も有している。
【００１６】
支持部３０は、固定部２０が一体形成され、竪樋２を受ける受け側部材（第１の支持部材）３１と、この受け側部材（第１の支持部材）３１にヒンジ部（ヒンジ）３３を介して回動可能に取り付けられる止め側部材（第２の支持部材）３２と、を備えている。そして、支持部３０には、止め側部材（第２の支持部材）３２を受け側部材（第１の支持部材）３１に着脱可能に係止する嵌め込み部３８が設けられている。
【００１７】
本実施形態では、支持部３０は、嵌め込み部３８にて止め側部材（第２の支持部材）３２を受け側部材（第１の支持部材）３１に係止した状態における平面視で、略円環状の外形を呈しており、略円筒状の竪樋２がこの支持部３０に支持されることになる。
【００１８】
止め側部材（第２の支持部材）３２の一端部（ヒンジ部が形成される側の端部）３２ａには、基台３６が設けられており、当該基台３６から回動軸３７が上下方向に突出するように延設されている。具体的には、基台３６は略円筒状をしており、止め側部材（第２の支持部材）３２の上下方向略中央部から周方向に向けて突設されている。そして、回動軸３７は、略円筒状の基台３６の上面３６ａの略中心部から上方に向けて延設されるとともに、基台３６の下面３６ｂの略中心部から下方に向けて延設されている。
【００１９】
また、受け側部材（第１の支持部材）３１の一端部（ヒンジ部が形成される側の端部）３１ａの上部および下部には、それぞれ回動軸３７に遊嵌する上側フック部（嵌合部）３４および下側フック部（嵌合部）３５が設けられている。
【００２０】
そして、受け側部材（第１の支持部材）３１の上側フック部（嵌合部）３４および下側フック部（嵌合部）３５を止め側部材（第２の支持部材）３２の基台３６に設けられた回動軸３７，３７にそれぞれ遊嵌させることで、受け側部材（第１の支持部材）３１と止め側部材（第２の支持部材）３２とを回動軸３７を軸に相対回動できるように取り付けている。
【００２１】
すなわち、本実施形態では、ヒンジ部３３は、受け側部材（第１の支持部材）３１および止め側部材（第２の支持部材）３２のうちの一方である止め側部材（第２の支持部材）３２に設けられた基台３６と、当該基台３６から突出するように取り付けられる回動軸３７と、受け側部材（第１の支持部材）３１および止め側部材（第２の支持部材）３２のうちの他方である受け側部材（第１の支持部材）３１に設けられて回動軸３７に遊嵌する上側フック部（嵌合部）３４および下側フック部（嵌合部）３５と、で構成されている。
【００２２】
さらに、本実施形態では、止め側部材（第２の支持部材）３２を受け側部材（第１の支持部材）３１に取り付けた状態で、基台３６と上下両フック部３４、３５との間に回動軸３７方向（図２中上下方向）に間隙Ｄ１が形成されるように、基台３６と上下両フック部３４、３５とを対向配置させている。
【００２３】
具体的には、上側フック部（嵌合部）３４を、当該上側フック部（嵌合部）３４の下面３４ａが基台３６の上面３６ａに対して回動軸３７方向に距離ｄ１だけ離間するように回動軸３７に遊嵌させるとともに、下側フック部（嵌合部）３５を、当該下側フック部（嵌合部）３５の上面３５ａが基台３６の下面３６ｂに対して回動軸３７方向に距離ｄ２だけ離間するように回動軸３７に遊嵌させることで、止め側部材（第２の支持部材）３２を受け側部材（第１の支持部材）３１に回動軸３７を軸に回動できるように取り付けるとともに、基台３６と上下両フック部３４、３５との間に回動軸３７方向（図２中上下方向）に間隙Ｄ１を形成している。なお、本実施形態では、基台３６の上面３６ａと上側フック部（嵌合部）３４の下面３４ａとの間の距離ｄ１と、基台３６の下面３６ｂと下側フック部（嵌合部）３５の上面３５ａとの間の距離ｄ２を略等しい距離となるようにしたが、互いに異なる距離となるようにしてもよい。
【００２４】
一方、受け側部材（第１の支持部材）３１の他端部（嵌め込み部が形成される側の端部）３１ｂの上部および下部には、それぞれ上部基台３９および下部基台４０が設けられており、上部基台３９および下部基台４０の間に上下方向に延在する軸４１が取り付けられている。具体的には、上部基台３９および下部基台４０はともに略円筒状をしており、上部基台３９の中心部には軸４１を挿通する挿通孔３９ｂが形成されている。そして、下部基台４０の中央部には、軸４１を受ける軸受け溝４０ｂが形成されており、軸４１を上部基台３９の挿通孔３９ｂに挿通するとともに下部基台４０の軸受け溝４０ｂに嵌合させることで、当該軸４１を上部基台３９および下部基台４０の間に取り付けている。なお、軸４１を上部基台３９および下部基台４０と一体に成形してもよい。
【００２５】
また、止め側部材（第２の支持部材）３２の他端部（嵌め込み部が形成される側の端部）３２ｂの中央部には、軸４１に遊嵌するフック部（嵌合部）４２と、取手部４３とが設けられている。
【００２６】
そして、止め側部材（第２の支持部材）３２をヒンジ部３３を介して回動させ、当該止め側部材（第２の支持部材）３２の他端部３２ｂに設けられたフック部（嵌合部）４２を軸４１に遊嵌させることで、止め側部材（第２の支持部材）３２が受け側部材（第１の支持部材）３１に係止されるようにしている。なお、取手部４３をつかんで引っ張り、フック部（嵌合部）４２を軸４１から取り外せば、止め側部材（第２の支持部材）３２と受け側部材（第１の支持部材）３１との係止は解除される。
【００２７】
このように、本実施形態では、嵌め込み部３８は、受け側部材（第１の支持部材）３１に設けられた上部基台３９および下部基台４０と、当該上部基台３９および下部基台４０から上下方向に突出するように取り付けられる軸４１と、止め側部材（第２の支持部材）３２に設けられて軸４１に遊嵌するフック部（嵌合部）４２と、で構成されている。
【００２８】
さらに、本実施形態では、止め側部材（第２の支持部材）３２を受け側部材（第１の支持部材）３１に係止させた状態で、上部基台３９とフック部（嵌合部）４２との間に上下方向（軸４１の延在方向）に間隙Ｄ２が形成されるとともに、下部基台４０とフック部（嵌合部）４２との間に上下方向（軸４１の延在方向）に間隙Ｄ２が形成されるように、上部基台３９および下部基台４０をフック部（嵌合部）４２に対向配置させている。
【００２９】
具体的には、フック部（嵌合部）４２を、当該フック部（嵌合部）４２の上面４２ａが上部基台３９の下面３９ａに対して上下方向に距離ｄ３だけ離間するとともに、当該フック部（嵌合部）４２の下面４２ｂが下部基台４０の上面４０ａに対して上下方向に距離ｄ４だけ離間するように、軸４１に遊嵌させることで、止め側部材（第２の支持部材）３２を受け側部材（第１の支持部材）３１に係止した状態で、上部基台３９とフック部（嵌合部）４２、下部基台４０とフック部（嵌合部）４２の間に上下方向に間隙Ｄ２がそれぞれ形成されるようにしている。なお、上部基台３９の下面３９ａとフック部（嵌合部）４２の上面４２ａとの間の距離ｄ３と、下部基台４０の上面４０ａとフック部（嵌合部）４２の下面４２ｂとの間の距離ｄ４を略等しい距離となるようにしたが、互いに異なる距離となるようにしてもよい。
【００３０】
このように、本実施形態では、受け側部材（第１の支持部材）３１の上側フック部（嵌合部）３４および下側フック部（嵌合部）３５を止め側部材（第２の支持部材）３２の基台３６に設けられた回動軸３７，３７にそれぞれ遊嵌させるとともに、止め側部材（第２の支持部材）３２を受け側部材（第１の支持部材）３１に取り付けた状態で、基台３６と上下両フック部３４、３５との間に回動軸３７方向（図２中上下方向）に間隙Ｄ１がそれぞれ形成されるように、基台３６と上下両フック部３４、３５とを対向配置させることで、止め側部材（第２の支持部材）３２を受け側部材（第１の支持部材）３１に対してヒンジ部３３を基点として相対的に上下方向に揺動できるようにしている。
【００３１】
また、止め側部材（第２の支持部材）３２に設けられたフック部（嵌合部）４２を軸４１に遊嵌させることで、止め側部材（第２の支持部材）３２を受け側部材（第１の支持部材）３１に係止させ、かかる状態で、上部基台３９とフック部（嵌合部）４２との間に上下方向（軸４１の延在方向）に間隙Ｄ２が形成されるとともに、下部基台４０とフック部（嵌合部）４２との間に上下方向（軸４１の延在方向）に間隙Ｄ２が形成されるようにすることで、止め側部材（第２の支持部材）３２を受け側部材（第１の支持部材）３１に対して嵌め込み部３８を基点として相対的に上下方向に揺動できるようにしている。
【００３２】
さらに、本実施形態では、ヒンジ部３３および嵌め込み部３８を、固定部２０に対して線対称となる位置に設けているため、止め側部材（第２の支持部材）３２を受け側部材（第１の支持部材）３１に対して上下方向に安定して相対揺動させることができる。
【００３３】
次に、この竪樋支持具１０の使用方法について説明する。
【００３４】
まず、釘３等の固定部材を竪樋支持具１０の挿通孔に挿通させて建物の外壁１に打ち込むことで外壁１に固定する。このとき、本実施形態では、図８および図９に示すように、釘３を、釘頭３ｂ側が下方に位置するように建物の外壁１に斜めに打ち込んでいる。このように、釘３を、釘頭３ｂ側が下方に位置するように建物の外壁１に斜めに打ち込むことで、雨水が釘３を伝って建物の外壁１に浸入するのを抑制することができる。
【００３５】
つぎに、止め側部材（第２の支持部材）３２に設けられたフック部（嵌合部）４２と、受け側部材（第１の支持部材）３１に取り付けられた軸４１との嵌合を解除し、止め側部材（第２の支持部材）３２をヒンジ部３３を中心にして開き、受け側部材（第１の支持部材）３１内に竪樋２を配置する。
【００３６】
その後、フック部（嵌合部）４２と軸４１とを再び嵌合することで、竪樋２の取付けを終了する。このとき、止め側部材（第２の支持部材）３２が、受け側部材（第１の支持部材）３１に対してヒンジ部３３および嵌め込み部３８を基点として相対的に上下方向に揺動できるようになっている。そのため、例えば竪樋２を地面に対して垂直な状態となるようにした場合、止め側部材（第２の支持部材）３２を受け側部材（第１の支持部材）３１に対して揺動させて略水平にすることで、竪樋２を容易に支持することができる。すなわち、本実施形態にかかる竪樋支持具１０を用いれば、竪樋２を所望の位置に取り付けることが容易になる。
【００３７】
以上の本実施形態によれば、受け側部材（第１の支持部材）３１の上側フック部（嵌合部）３４および下側フック部（嵌合部）３５を止め側部材（第２の支持部材）３２の基台３６に設けられた回動軸３７，３７にそれぞれ遊嵌させるとともに、止め側部材（第２の支持部材）３２を受け側部材（第１の支持部材）３１に取り付けた状態で、基台３６と上下両フック部３４、３５との間に回動軸３７方向（図２中上下方向）に間隙Ｄ１が形成されるように、基台３６と上下両フック部３４、３５とを対向配置させることで、止め側部材（第２の支持部材）３２を受け側部材（第１の支持部材）３１に対して相対揺動させることができるようになる。
【００３８】
そのため、竪樋２を所望の状態で容易に取り付けることができるようになり、竪樋２の取付作業効率の向上を図ることができる。
【００３９】
また、本実施形態によれば、止め側部材（第２の支持部材）３２の受け側部材（第１の支持部材）３１に対する相対揺動の際の基点を、ヒンジ部（ヒンジ）３３としたため、竪樋支持具１０の強度が低下してしまうのを抑制することができる。
【００４０】
このように、本実施形態によれば、強度が低下してしまうのを抑制しつつ竪樋２の取付作業効率の向上を図ることのできる竪樋支持具１０を得ることができる。
【００４１】
以上、本発明の好適な実施形態について説明したが、本発明は上記実施形態には限定されず、種々の変形が可能である。
【００４２】
例えば、上記実施形態では、第２の支持部材が、第１の支持部材に対してヒンジおよび嵌め込み部を基点として相対的に上下方向に揺動できるようにしたものを例示したが、ヒンジのみを基点として第２の支持部材を第１の支持部材に対して相対的に上下方向に揺動できるようにしたものであっても、本発明を実施することができる。
【００４３】
この場合、ヒンジを固定部を挟んで略対称となる位置にそれぞれ設け、当該ヒンジとは別に嵌め込み部を形成するのが好適である。
【００４４】
こうすれば、第２の支持部材を第１の支持部材に対して上下方向に安定して相対揺動させることができる上、第２の支持部材が嵌め込み部にて揺動することなく第１の支持部材にしっかりと係止させることができるようになるため、竪樋支持具の強度が低下してしまうのをより一層抑制することができる。
【００４５】
また、支持部や固定部、ヒンジ部や嵌め込み部、竪樋、固定部材、その他細部のスペック（形状、大きさ、レイアウト等）も適宜に変更可能である。
【符号の説明】
【００４６】
１  外壁
２  竪樋
１０  竪樋支持具
２０  固定部
３０  支持部
３１  受け側部材（第１の支持部材）
３２  止め側部材（第２の支持部材）
３３  ヒンジ部（ヒンジ）
３４  上側フック部（嵌合部）
３５  下側フック部（嵌合部）
３６  基台
３７  回動軸
【図１】
2011006900.tif 000003
【図２】
2011006900.tif 000004
【図３】
2011006900.tif 000005
【図４】
2011006900.tif 000006
【図５】
2011006900.tif 000007
【図６】
2011006900.tif 000008
【図７】
2011006900.tif 000009
【図８】
2011006900.tif 000010
【図９】
2011006900.tif 000011